(57)【要約】      （修正有）【課題】従来の釣り具は長さも大きくコストも高いので、釣りが初めての初心者や子供、女性でも魚釣りを遊び感覚で気軽に楽しめる釣り玩具セットを提供する。【解決手段】釣竿２に取り付けたリール３の釣り糸４の端部に、掛け穴５付き中継具６を取り付け、その中継具６の掛け穴５に、釣り糸４の一方に開閉自在のフック７を設けた他方側にオモリ９と釣り針８を取り付けた釣り針部材１０と、釣り糸４の一方に開閉自在のフック７を設けた他方端部に、コマセ袋１２とカゴ１１を取り付けた釣りカゴ部材１３を組み合わせて成る釣り玩具セット１とする。【選択図】図１
0003159393.tif 000002
【実用新案登録請求の範囲】
【請求項１】
釣竿に取り付けた釣り糸の端部に掛け穴付き中継具を取り付け、その中継具の前記掛け穴に、釣り糸の一方に開閉自在のフックを設けた他方側にオモリと釣り針を取り付けた釣り針部材と、釣り糸の一方に開閉自在のフックを設けた他方端部に、コマセ袋付きカゴを取り付けた釣りカゴ部材を組み合わせて成る構成を特徴とする釣り玩具セット。
【請求項２】
前記する釣竿に、リールを取り付けて成る請求項１記載の釣り玩具セット。
【考案の詳細な説明】
【技術分野】
【０００１】  本考案は、玩具でありながら本物同様にして、気軽に魚釣りを楽しむことができる釣り玩具セットに関する。
【背景技術】
【０００２】  従来より、魚釣りは大人の男性の遊びやスポーツとして愛され、かつ釣りに用いられる道具なども大人を対象とする大きさで本格的な釣り道具や関連備品が提供されている。また最近は女性も釣りを楽しむ風潮にはなって来ている。【０００３】  また釣り針で魚を捕る方法以外に、釣り糸の先端に半円状の網枠を二つ取り付けて魚を掬いとるように捕る魚類捕獲網の技術もある。（例えば、特許文献１参照）
【先行技術文献】
【特許文献１】実用新案登録第３０６７８６１号公報
【０００４】
【考案の概要】
【考案が解決しようとする課題】
【０００５】  従来一般的な釣り道具は竿は長くて重く、生餌を使う釣り針、毛鉤、ルアーなど様々な備品があるが、いずれも本格的なものが多く価格も高いので、釣りが全く初めての女性や子供等が簡単に遊びとして楽しむには何かと不便であるため、例えば、子供を含めた家族全員で魚釣りに行っても子供や女性は楽しむ機会が少ないなどの不便があった。【０００６】  また実用新案登録第３０６７８６１号公報に開示される技術は釣り針ではなく、釣り糸に取り付けた網で掬い取る方法であり、二つの半円状の網枠を回転自在に基部に取り付け、コイルスプリングにより常時開いた入り口部に魚の餌を吊るすことで、釣り糸を引き上げるに連動して前記する二つの半円状の網枠を閉じて魚を捕る魚類等捕獲網の技術である。【０００７】  しかしこの技術は半円状の二つの網枠が開閉するようにし、かつコイルスプリングに連動する釣り糸など、その仕組みは複雑な構成であるのでコスト高となる。またコイルスプリングはバネ材であるため、特に海釣りなどに使用した場合は錆びたりして機能が働かなくなるなど故障要因を持つ不便や欠点がある。
【課題を解決するための手段】
【０００８】  本考案は、従来一般の魚釣りや魚捕獲具が持つ不便や欠点を解消して、魚釣りが初めての子供や女性でも遊び感覚で気軽に魚釣りを楽しめるために、請求項１においては、釣竿に取り付けた釣り糸の端部に、掛け穴付き中継具を取り付けて成る前記中継具に、釣り糸の一方に開閉自在のフックを設け、他方にオモリと釣り針を取り付けた釣り針部材と、釣り糸の一方にフックを設けた前記釣り糸端部に、コマセ袋付きカゴを取り付けた釣りカゴ部材を組み合わせられることで、魚の種類やその時の気分等に応じて簡単に釣り方を変えられるものとする。【０００９】  請求項２においては、前記する釣竿にリールを取り付けることで本物様を成すとともに、釣り糸の巻き取りも容易な釣り玩具セットとする。
【考案の効果】
【００１０】  本考案による釣り玩具セットは、短い釣竿のリールに取り付けた釣り糸端部に掛け穴付き中継具を設け、その掛け穴に、魚の種類や目的に応じて、オモリ付き釣り針部材もしくはコマセ袋付き釣りカゴ部材のフックを掛け替えるだけで、簡単に２種類の釣り方を選べる従来には見られないユニークな釣り玩具を提供する。【００１１】  したがって、その日の気分や釣りたい魚の種類に応じた魚釣りを楽しめるとともに、疑似餌針を用いた場合はそのまま使えるので、川虫やミミズなど一々針に付ける必要はないため、全く釣りが初めての子供や女性はもとより、お爺ちゃんやお婆ちゃんでも面倒がらずに一家全員で魚釣りを楽しめる。【００１２】  さらに、釣りカゴ部材を用いた場合は、難しい魚の引きに合わせる必要もなく、頃合いを見て静かに引き上げるだけの方法であるので子供や女性でも簡単であり、引き上げるまでは慎重にゆっくり引き上げるだけでワクワク感と釣れた時の喜びは大きく、大人でも楽しい釣り玩具として家族全員が楽しめ、かつ安価な釣り玩具セットを広く提供できる。
【図面の簡単な説明】
【００１３】
【図１】  本考案の釣り玩具セットの実施形態を示す一部を分解した斜視図である。
【考案を実施するための形態】
【００１４】  本考案の釣り玩具セットの実施形態を、図１に示す一部分解斜視図で説明する。
【００１５】  本考案における釣り玩具セット１は、所定の寸法として、長さが約６０〜１００ｃｍくらいの短めの釣竿２の手元にリール３を備えるとともに、そのリール３に、長さ約５〜１０ｍほどの釣り糸４を取り付けて成る前記釣り糸４の端部に、掛け穴５付き中継具６を取り付けた本体を形成する。
【００１６】  次に、前記する本体の中継具６には、別体形成される形の異なる二つの釣り部材が組み合わされるものとする。その一つは、長さ約５０ｃｍくらいの釣り糸４の一方端部にナス環のように開閉自在のフック７を取り付けるとともに、他方端部には、毛鉤又は釣り針８（以下、釣り針と称す）を取り付けるとともに、前記釣り糸４の中ほどにオモリ９を取り付けた釣り針部材１０を形成する。
【００１７】  他方、もう一つの釣り部材としては、前記と同じ長さの釣り糸４端部に前記タイプと同じフック７を取り付けた他方端部に、直径約１０〜１５ｃｍで深さ約１５ｃｍくらいのカゴ１１を取り付けるとともに、そのカゴ１１の入り口部位に、餌を入れるコマセ袋１２を取り付けて成る釣りカゴ部材１３を形成する。
【００１８】  以上のようなフック７とオモリ９と釣り針８を設けた釣り針部材１０と、フック７とコマセ袋１２とカゴ１１とで成る釣りカゴ部材１３を形成し、それを前記するリール３付き釣竿２の釣り糸４端部に設けた中継具６に組み合わせた本体に組み合わせることで、オモリ９付き釣り針８を設けた釣り針部材１０を組み合わせて釣る方法と、コマセ袋１２付き釣りカゴ部材１３を組み合わせて釣る方法いずれかを選択できる釣り玩具セット１を構成する。
【００１９】  本考案による釣り玩具セット１は以上のような構成であるので、家族で釣り遊びに出掛けた際にお父さんは本格的な釣道具でもよいが、釣りが上手でない子供やお母さんも一緒に釣り遊びが楽しめるし、その時の気分や釣りたい魚によって前記する本体の中継具６の掛け穴５に、釣り針部材１０もしくは釣りカゴ部材１３のいずれかを掛け替えるだけで、簡単に好みの釣り方を選んで魚釣りを楽しめる釣り玩具セット１となる。
【００２０】  本考案に図示する釣竿２は短い棒状タイプであるが、一般的な弓状にしなるタイプでもよい。また釣り糸４はリール３に取り付けられているが、釣竿２の先端に直接取り付ける方法でも差し支えない。さらに中継具６の掛け穴５は一つであるが、大小二つ設けて大きさの異なるフック７に対応できるものでもよく、その形状もどんな形でもよい。さらに浮き形でもよいし、子供が関心を持つキャラクターや人形などの形でも差し支えない。加えて、前記する釣竿２、釣り糸４、カゴ１１等の大きさや長さも特に限定するものではない。
【符号の説明】
【００２１】１  釣り玩具セット
２  釣竿
４  釣り糸
６  中継具
８  釣り針
９  オモリ
１０  釣り針部材
１１  カゴ
１３  釣りカゴ部材
【図１】
0003159393.tif 000003